(57)【要約】【課題】従来の単なる預金通帳には磁気バー（磁気テープ）がついていて、機器が口座番号を読み取るのに使用するようにしていることにとどまらず、ＱＲコード情報登録添付の預金通帳を得ることにある。【解決手段】本発明は、（［請求項１］の構成要件）名前、住所、電話番号の最小限の預金開設者の所在が明確に証明されるＱＲコードシステムで本人が確認できる預金通帳であれば、振込時に金融機関の窓口およびＡＴＭ機器において、振込人が振込先の預金通帳口座番号を入力すると預金通帳所有者を特定するＱＲコードに挿入された情報と連動し、特定者の住所、名前、電話番号、又は顔写真を確認したうえで振込むことになり、悪徳な振込詐欺被害を未然に防ごうとするＱＲコード情報登録添付の預金通帳の活用を構成している。【選択図】図１
2014215998.tif 000002
【特許請求の範囲】
【請求項１】
少なくとも金融機関が発行するＱＲコードを用いた預金通帳とし、
ＱＲコードの添付する箇所は、表紙だけでなく中面に貼るなど限定されないものとし、
ＱＲコードは印刷、又は透明素材で保護された強固にシール貼りされ、
水濡にも防御されるようにした預金通帳であり、
現金引き出しのキャッシュカードの暗証番号とは別に、
預金通帳開設時において、携帯電話、又はその他のスキャナ機器により、
ＱＲコードに取り込まれた名前、住所、電話番号の情報を、
読み取ることができるようにしてある、
さらに詳細情報をＱＰコードで読み取るためには、
金融機関と預金通帳開設者本人のみが知りえるＩＤ番号入力（イニシャル又は４〜８桁番号）により詳細情報が開示できるようにしておく、
この詳細情報には預金通帳開設者本人の任意での顔写真情報および金融機関と預金通帳開設者本人のみが知りえる詳細情報が追加されている、
さらに、ＡＴＭ機器で現金の入出金において、
従来通り預金通帳開設時に付帯された口座番号を入力すると、
預金通帳開設者のコンテンツ配信サービスを提供する金融機関の事務処理ウェブサイトを通じて連動するＱＲコードのコンテンツの情報特定が、
振込みをする際のＡＴＭ機器の画面に名前、住所、電話番号、又は顔写真が認証確認として表示され、その情報を確認した上で次なる振込操作への手順ができるようにして、知らない人の口座に振込むことがないように振込詐欺の被害を、
未然に防ぐことができるようにしたことを特徴とするＱＲコードを用いた預金通帳。
【請求項２】
ＱＲコード情報登録添付の預金通帳は、
預金通帳開設者本人による手続きの際に、名前、住所、電話番号を記載して、
印章と本人確認できる書類をもとに預金通帳が発行されるのであり、
預金通帳開設者が最小限の名前、住所、電話番号のＱＲコード登録申請に基づき、
金融機関窓口ではパソコン機器及びスキャナ機器、
又はデジタルカメラなどの周辺機器を使って、
新規預金通帳開設時および旧貯金通帳の更新時において、
預金通帳を開設する金融機関窓口では、
速やかに本人確認できるＱＲコード情報登録添付の預金通帳を、
作成することを特徴とするＱＲコードを用いた預金通帳。
【請求項３】
インターネット銀行（ネットバンク）において、
現金での口座への入金と出金はＡＴＭ機器を使っての現金の入金と出金を行うとき、
インターネット銀行（ネットバンク）利用者にとって、
記述したメモの盗難および紛失においても
ＱＲコード読み取り時に金融機関と預金通帳開設者本人のみが知りえるＩＤ番号入力（イニシャル又は４〜８桁番号）により詳細情報が開示できるようにしておく、
ＱＲコード読み取り時に携帯電話、又はその他のスキャナ機器操作で、
詳細情報を開示できセキュリティー効果が得られることを特徴とする請求項１、又は２に記載のＱＲコードを用いた預金通帳。
【請求項４】
少なくとも金融機関が発行するＱＲコードを用いた預金通帳とし、
ＱＲコード情報登録添付の預金通帳は、振込詐欺防止だけでなく、
紛失および盗難において拾得物の預金通帳の所有者確認は、
ＱＲコードを携帯電話での読み取り、
又はスキャナ機器で読み取りパソコンにデーターを送り込み、
金融機関の事務処理ウェブサイトを通じて、
金融機関窓口での手続きで紛失、又は盗難届けされた預金通帳であるかどうか、
ＱＲコード読み取り時に金融機関と預金通帳開設者本人のみが知りえるＩＤ番号入力（イニシャル又は４〜８桁番号）により詳細情報が開示できるようにしておく、
ＱＲコード読み取り時に携帯電話、又はその他のスキャナ機器操作で、
詳細情報を開示でき早期の照合と対応が取れることを特徴とする請求項１、又は２に記載のＱＲコードを用いた預金通帳。
【請求項５】
本発明で述べているＱＲコード情報登録添付の預金通帳とは、
金融機関が発行する預金通帳、農業協同組合、漁業協同組合、郵便貯金、インターネット銀行（ネットバンク）での活用を広く意味することを特徴とする請求項１、又は２に記載のＱＲコードを用いた預金通帳。
【請求項６】
少なくとも金融機関が発行するＱＲコードを用いた預金通帳は、
預金通帳開設者本人の顔写真、又は指紋などの登録を、
ＱＲコードに情報入力するのは任意であり、
顔写真入力、又は詳細情報入力は限定されない、
自己の預金通帳開設者であることを証明するために、
預金通帳開設者が自己責任とし、
ＱＲコード読み取り時に金融機関と預金通帳開設者本人のみが知りえるＩＤ番号入力（イニシャル又は４〜８桁番号）により詳細情報が開示できるようにしておく、
携帯電話、又はその他のスキャナ機器操作で開示できるようにすることを特徴とする請求項１、又は２に記載のＱＲコードを用いた預金通帳。
【発明の詳細な説明】
【技術分野】
【０００１】  金融機関が預金者に対して、預金者であることを示す証憑として、また預金の受け入れ、又は払い戻しの証拠書として交付する預金通帳に関する。
【背景技術】
【０００２】  預金通帳には磁気バー（磁気テープ）がついており、機器が口座番号を読み取るのに使用するようにしている。【０００３】  従来の預金通帳は、例えば紛失したり、盗難されたりした場合において、明らかに自己所有の預金通帳であることを敏速に証明することができるように配慮する発想がなかったのである
【先行技術文献】
【特許文献】
【０００４】  日本の特許文献１、話中の電話が振込み詐欺の疑いがあることを利用者に知らせると同時に、詐欺電話が発生したことを警察に通知することによって、振込み詐欺被害を未然に防ぐ振込み詐欺防止システムを提供している。【０００５】  日本の特許文献２、受話器の受信部側に装着するマイクを備え、電話機に簡単にセットでき、電話での振込め詐欺を撃退することが可能なものとなる電話機用振込め詐欺防止装置を提供している。【０００６】  日本の特許文献３、振り込め詐欺防止装置は、赤外線カメラを通じてＡＴＭ機器利用者が携帯電話を使用しているか否かをパターンマッチングで判定することで、振り込め詐欺の被害発生を防止する、現金自動預け払い機を提供している。【０００７】  これら特許文献には、振込み詐欺からの巧みな電話誘導により、本当に知人や振込み依頼人が開設した預金口座を明確に確認できないまま、振り込んでしまった後、だまされたことに気付く被害が後を絶たない現状をふまえて、振込先の預金口座が明確に確認できない先には振り込めないようにする預金通帳を発行する意識は明記されていない。【０００８】
【特許文献１】特開２００７−３２３１０７
【特許文献２】特開２０１２−１５６６６４
【特許文献２】特開２０１１−２２１９６４
【発明の概要】
【発明が解決しようする課題】
【０００９】  本発明では、単なる預金通帳には磁気バー（磁気テープ）がついており、機器が口座番号を読み取るのに使用するようにしているだけでは、巧みな振込詐欺グループに、振込み依頼人が開設した預金通帳口座か否かを確認できない
【課題を解決するための手段】
【００１０】  預金通帳開設には、手続きの際に、印章と本人確認ができる書類（住民票もしくは運転免許）などの提示が求められているので、書類（住民票もしくは運転免許）で記載された一部の名前、住所、電話番号の最小限の預金開設者の所在が明確に証明されるシステムをＱＲコードで本人が確認できる預金通帳であれば、振込時に金融機関の窓口およびＡＴＭ機器において、振込人が振込先の預金通帳口座の住所、名前、電話番号を確認したうえで振込むシステムにすることで、悪徳な振込詐欺被害を未然に防ごうとするＱＲコード情報登録添付の預金通帳の活用を目的としている。
【００１１】  上記目的を達成するために、本発明は（［請求項１］の構成要件）とでＱＲコード情報登録添付の預金通帳を構成している。
【発明の効果】
【００１２】  以上の説明から明らかなように、本発明にあっては次に列挙する効果が得られる。
（１）（［請求項１］の構成要件）とで構成されているので、預金通帳の一例として、預金通帳の口座番号を読み取る磁気バー（磁気テープ）だけでなく、預金通帳開設には、手続きの際に、印章と本人確認ができる書類（住民票若しくは運転免許）で記載された一部の名前、住所、電話番号の最小限の情報を盛り込んだＱＲコードを所定箇所に印刷又は頑強なシールで貼ることで預金通帳開設者の本人証明ができるようにする。
【００１３】  （２）前記（１）によって所定箇所に印刷又は頑強なシールで貼ってある本発明のＱＲコード情報登録添付の預金通帳は、携帯電話やパソコンにスキャンすることで、コンテンツ配信サービスを提供する金融機関の事務処理ウェブサイトを通じて口座番号と連動するＯＲコードコンテンツの特定ができることで、ＱＲコードに情報として預金通帳所有者本人および預金通帳を開設した金融機関で双方において関わる人のセキュリティーに活用できるようにする目的が達成できる。
【００１４】（３）請求項２至る請求項６も前記（１）〜（２）と同様な本発明のＱＲコード情報登録添付の預金通帳は、振込詐欺防止だけでなく、盗難および紛失において、預金通帳口座の取引停止手続きをすると同時に、紛失したものを拾った方が、住所又は名前、電話番号などのプライバシーを尊重した最低限の情報が携帯電話、又はスキャン機器で読み取れれば、紛失者に知らせることもでき、もよりの交番へ紛失物の預金通帳を届けた際には、警察官の立会いのもと、貯金通帳紛失者に連絡する対応ができるだけでなく、紛失者が預金通帳を引き取りにきた場合において、明らかに預金通帳開設者本人が知りえるＩＤ番号入力（イニシャル又は４〜８桁番号）によりＱＲコード読み取りで、開設した金融機関と預金通帳開設者のみが知りえる詳細情報を開示できるようにすることで、預金通帳開設者を確認できることになり、さまざまなケースでのセキュリティー効果が得られる。
【００１５】  預金通帳のＱＲコードに情報入力されるのは通帳の口座番号およびキャッシュカードのＩＤ番号の入力は必要ない、なぜなら、従来どおり磁気バー（磁気テープ）がついており、機器が口座番号を読み取る、ＩＤ番号は絶対公開してはならないのであり、プライバシーを尊重して、預金通帳開設時の記載の名前、住所、電話番号の最小限の情報にとどめておけば、前記（３）で記述した、振込詐欺防止だけでなく、盗難および紛失において十分効果が得られるからである。
【００１６】  今日、インターネット銀行（ネットバンク）は、現金での口座への入金と出金ができない法的な定めになっていることから、ＡＴＭ機器を使っての現金の入金と出金を行うことになり、本発明のＱＲコード登録添付の預金通帳は、振込詐欺防止だけでなく、インターネット銀行（ネットバンク）の情報を記述したメモの盗難および紛失においても効果が得られるのである。
【００１７】  金融機関の預金通帳開設窓口では、預金通帳開設者本人による手続きの際に、印章と本人確認ができる書類をもとに名前、住所、電話番号の最小限の情報にとどめたＱＲコードをパソコンにより速やかに作成できるので、新規預金通帳開設時および旧貯金通帳の更新時において、本発明のＱＲコード情報登録添付の預金通帳が容易に作成できるのである。
【００１８】  本発明のＱＲコード情報登録添付の預金通帳は、金融機関が発行する預金通帳、農業協同組合、漁業協同組合、郵便貯金（預金通帳）、インターネット銀行（ネットバンク）での活用を広く意味する。
【００１９】  本発明は、所有者を特定できる預金通帳は、預金通帳開設者本人の顔写真登録をＱＲコードに情報入力するのは任意で、顔写真入力は限定されない、自己預金通帳であることを証明するために、預金通帳開設者が自己責任において、活用することは当然のことであり、預金通帳開設時において各金融機関窓口で、犯罪防止およびセキュリティー対策の事項を預金通帳開設者に詳しく説明した上で、本発明のＱＲコードを用いた預金通帳の発行がなされなければならないと考える。
【図面の簡単な説明】
【００２０】
【図１】本発明の図１は、指定先口座への振込み行為において、金融機関の窓口又はＡＴＭ機器を使用しての手続きで振込み先の口座番号を入力すると、ＱＲコードのコンテンツの情報が口座番号と連動して預金通帳所有者の特定が振込みをする際のＡＴＭ機器の画面に認証確認として表示され、その情報を確認した上で、次なる振込手順ができることで、知らない人の口座に振込むことがないように、振込詐欺の被害を未然に防ぐことができるようにした振込み手順のフローチャートを示す一例図である。
【図２】本発明の図２は、ＱＲコードがはがれないように預金通帳に頑強な透明な素材で保護され貼られている状態を示す一例図である。
【発明を実施するための形態】
【００２１】  本発明の図１は、ＡＴＭ機器での振込操作手順の一例図であり、図２はＱＲコードがはがれないように預金通帳に頑強な透明な素材で保護され貼られている状態を示す一例図であり、このＱＲコードは破損しないように保護をかねて預金通帳の表紙以外の中面に貼ることもでき添付箇所は限定されない。
【実施例１】
【００２２】  図１は、本発明のＱＲコード情報登録添付の預金通帳を用いた、振込詐欺を防止するためのＡＴＭ機器での振込操作の手順を示す図であり、ＡＴＭ機器での振込み操作スタート１で、振込み先口座番号入力のステップ２に進む、さらに、口座番号と連動した預金通帳のＱＲコード情報の名前、住所、電話番号が画面に表示されるステップ３となり、ステップ４では、画面に表示された情報が孫や子ども、又は知人ではない場合は、画面ボタンで振込みしない選択をする。もし、任意による預金通帳開設者が、名前、住所、電話番号の他に、顔写真、又は指紋などを含む詳細情報として追加されたＱＲコードであれば、最善の預金通帳開設者の確認ができるのである。さらに、ステップ５として振込みをしない選択をした場合、自動的に預金通帳を開設した金融機関に連絡されるか、又は振込みをしようとしているＡＴＭ機器に最も近い警察署もしく交番に自動伝達されるシステムとする。
【実施例２】
【００２３】  図２は、同じく本発明のＱＲコード情報登録添付の預金通帳６であり、７はＱＲコードで、ＱＲコードがはがれないように預金通帳に頑強な透明な素材で保護され貼られている状態を示し、このＱＲコード７は破損しないように保護をかねて預金通帳の表紙以外の中面に貼ることもでき添付箇所は限定されない。
【産業上の利用可能性】
【００２４】本発明は、名前、住所、電話番号の最小限の預金開設者の所在が明確に証明されるシステムをＱＲコードで本人が確認できる預金通帳により、コンテンツ配信サービスを提供する金融機関の事務処理ウェブサイトを通じて口座番号と連動するＱＲコードコンテンツの特定が振込人のＡＴＭ機器の画面に認証確認として表示された情報を確認した上で次なる振込手順ができることで、知らない人の口座に振込むことがないので、振込詐欺の被害を未然に防ぐことができる。【００２５】  また、振込詐欺防止だけでなく、盗難および紛失においても、ＱＲコードが添付された預金通帳の活用は大いに資すると考える。
【符号の説明】
【００２６】  １  ステップ１
２  ステップ２
３  ステップ３
４  ステップ４
５  ステップ５
６  ＱＲコード情報登録添付の預金通帳
７  ＱＲコード
【図１】
2014215998.tif 000003
【図２】
2014215998.tif 000004
【手続補正書】
【提出日】平成25年10月22日(2013.10.22)
【手続補正１】
【補正対象書類名】明細書
【補正対象項目名】００１３
【補正方法】変更
【補正の内容】
【００１３】  （２）前記（１）によって所定箇所に印刷、又は透明素材で保護され、頑強にシール貼りされ、水濡にも防御されるようにした預金通帳であり、本発明のＱＲコード情報登録添付の預金通帳は、携帯電話やパソコンにスキャンすることで、コンテンツ配信サービスを提供する金融機関の事務処理ウェブサイトを通じて口座番号と連動するＱＲコードコンテンツの特定ができることで、ＱＲコードに情報として預金通帳所有者本人および預金通帳を開設の金融機関双方において関わる人のセキュリティーに活用できるようにする。
【手続補正２】
【補正対象書類名】特許請求の範囲
【補正対象項目名】請求項１
【補正方法】変更
【補正の内容】
【請求項１】
少なくとも金融機関が発行するＱＲコードを用いた預金通帳とし、
ＱＲコードの添付する箇所は、表紙だけでなく中面に貼るなど限定されないものとし、
ＱＲコードは印刷、又は透明素材で保護された強固にシール貼りされ、
水濡にも防御されるようにした預金通帳であり、
現金引き出しのキャッシュカードの暗証番号とは別に、
預金通帳開設時において、携帯電話、又はその他のスキャナ機器により、
ＱＲコードに取り込まれた名前、住所、電話番号の情報を、
読み取ることができるようにしてある、
さらに詳細情報をＱＰコードで読み取るためには、
金融機関と預金通帳開設者本人のみが知りえるＩＤ番号入力（イニシャル又は４〜８桁番号）により詳細情報が開示できるようにしておく、
この詳細情報には預金通帳開設者本人の顔写真、又は指紋などを含む情報および金融機関と預金通帳開設者本人のみが知りえる詳細情報が追加されている、
さらに、ＡＴＭ機器で現金の入出金において、
従来通り預金通帳開設時に付帯された口座番号を入力すると、
預金通帳開設者のコンテンツ配信サービスを提供する金融機関の事務処理ウェブサイトを通じて連動するＱＲコードのコンテンツの情報特定が、
振込みをする際のＡＴＭ機器の画面に名前、住所、電話番号、顔写真、又は指紋などを含む詳細情報として追加されたＱＲコードであり認証確認として表示され、
その情報を確認した上で次なる振込操作への手順ができるようにして、
知らない人の口座に振込むことがないように振込詐欺の被害を、
未然に防ぐことができるようにしたことを特徴とするＱＲコードを用いた預金通帳。
【手続補正３】
【補正対象書類名】特許請求の範囲
【補正対象項目名】請求項２
【補正方法】変更
【補正の内容】
【請求項２】
ＱＲコード情報登録添付の預金通帳は、
預金通帳開設者本人による手続きの際に、名前、住所、電話番号を記載して、
印章と本人確認できる書類をもとに預金通帳が発行されるのであり、
預金通帳開設者の名前、住所、電話番号、顔写真、又は指紋などを含む詳細情報として追加されたＱＲコード登録申請に基づき、
金融機関窓口ではパソコン機器及びスキャナ機器、
又はデジタルカメラなどの周辺機器を使って、
新規預金通帳開設時および旧貯金通帳の更新時において、
預金通帳を開設する金融機関窓口では、
速やかに本人確認できるＱＲコード情報登録添付の預金通帳を、
作成することを特徴とするＱＲコードを用いた預金通帳。